(57)【特許請求の範囲】
【請求項１】
汚染物質を含有する掘り起こし残土を仮置きするにあたり、
前記掘り起こし残土に含まれると想定される汚染物質を捕捉する汚染物質捕捉層と、前記掘り起こし残土に含まれる水分を均一に分散させる流路分散層と、を含む汚染物質捕捉流路分散層を仮置きヤードに形成し、
前記汚染物質捕捉流路分散層の上に、前記掘り起こし残土を仮置き盛土として仮置きすることを特徴とする掘り起こし残土の仮置き方法。
【請求項２】
前記汚染物質捕捉層は、前記掘り起こし残土に含まれると想定される汚染物質を捕捉する汚染物質吸着シートによって構成されており、
前記汚染物質吸着シートを前記仮置きヤードに敷設し、
前記汚染物質吸着シートの上層に前記流路分散層を形成して前記汚染物質捕捉流路分散層を形成する請求項１に記載の掘り起こし残土の仮置き方法。
【請求項３】
前記掘り起こし残土に含まれる汚染物質が複数ある場合に、
複数の前記汚染物質をそれぞれ捕捉する複数の前記汚染物質吸着シートを前記仮置きヤードに敷設する請求項２に記載の掘り起こし残土の仮置き方法。
【請求項４】
前記仮置きヤードに緩衝層を形成し、
前記緩衝層の上方に前記汚染物質捕捉流路分散層を形成する請求項１〜請求項３のうちのいずれか１項に記載の掘り起こし残土の仮置き方法。
【請求項５】
前記汚染物質捕捉層は、前記汚染物質を捕捉する汚染物質捕捉材料によって構成されており、
前記流路分散層を形成する流路分散層形成材料に前記汚染物質捕捉材料を含有させて前記汚染物質捕捉流路分散層を形成する請求項１に記載の掘り起こし残土の仮置き方法。
【請求項６】
前記汚染物質捕捉層は、前記掘り起こし残土に含まれると想定される汚染物質を捕捉する汚染物質吸着マットであり、前記汚染物質吸着マットは、土壌を挟み込む挟み込みシートを備え、前記挟み込みシートによって吸着剤が混ぜ合わされた土壌を挟み込んでおり、
前記汚染物質吸着マットを前記仮置きヤードに敷設し、
前記汚染物質吸着マットの上層に前記流路分散層を形成して前記汚染物質捕捉流路分散層を形成する請求項１に記載の掘り起こし残土の仮置き方法。
【請求項７】
前記仮置き盛土を防雨シートで覆う請求項１〜請求項６のうちのいずれか１項に記載の掘り起こし残土の仮置き方法。
【請求項８】
仮置きヤードに仮置きされた仮置き残土および前記仮置きヤードと前記仮置き盛土との間における各層を縮小した仮置き盛土模擬土層を形成し、
前記仮置き盛土模擬土層から流出した水分を分析して、前記水分に含まれる汚染物質の含有量を確認し、
確認された前記汚染物質の含有量に基づいて、前記仮置き盛土の調整を行う請求項１〜請求項６のうちのいずれか１項に記載の掘り起こし残土の仮置き方法。
【発明の詳細な説明】
【技術分野】
【０００１】
本発明は、掘り起こし残土を仮置きする掘り起こし残土の仮置き方法に関する。
【背景技術】
【０００２】
トンネル、ダム、造成などの土木工事を行う現場においては、地山の掘削によって掘り起こし残土としてたとえば掘削ずりが発生する。掘削ずりには、自然由来または人工的な汚染物質が含まれることがあり、これらの汚染物質に対しては、その汚染濃度に応じた処理が求められる。このため、掘削ずりにおける汚染の程度を溶出試験によって求め、溶出試験の結果に基づいて汚染物質の処理方法を決定する。ここで、溶出試験の結果が判明するまでにおよそ２週間程度の期間を要することから、試験結果が判明するまでの間、掘削ずりを所定の仮置きヤードなどに仮置きすることが必要となる。
【０００３】
このように、掘削ずりを仮置きする際にも、掘削ずりから仮置きヤードに対する汚染物質の流出を防止することが必要となる。しかし、仮置きヤードにおける掘削ずりからの汚染物質の流出防止策としては、ビニールシートによる遮水対策程度であった。その一方、汚染物質を含む建設残土を用いた盛土や埋め立てを行う際に用いられる工法として、従来、たとえば以下の工法があった。
（１）汚染土層の下に遮水構造や集水構造を構築し、集水した水を処理する方法（以下「第１工法」という）。
（２）汚染物質を吸着して捕捉する薬剤（以下、「吸着剤」という）と土とを混ぜた吸着土層を汚染土層の下に敷設する方法（たとえば、特許文献１参照、以下「第２工法」という）。
（３）吸着剤を載せた不織布等で作製した吸着シートを汚染土層の下に敷設する方法（たとえば、特許文献２参照、以下「第３工法」という）。
【０００４】
そして、実際に汚染物質を含む建設残土を用いた盛土や埋め立てを行う際には、上記第１工法または第２工法のいずれかによる構造物を構築している。また、第３工法については、実際の現場で施工された例は見受けられない。
【先行技術文献】
【特許文献】
【０００５】
【特許文献１】特開２００８−２１２７７１号公報
【特許文献２】特開平５−２５３５６２号公報
【発明の概要】
【発明が解決しようとする課題】
【０００６】
しかし、掘削ずりを仮置きするにあたり、上記第１工法を用いると、遮水構造や集水構造を構築する必要があるため、非常に手間とコストが掛かるという問題がある。また、上記特許文献１に開示された第２工法を用いる場合には、吸着剤を現場で土に混ぜ込んで吸着土層を形成することとなる。このため、吸着剤を土に対して均一に分散させることが難しく、吸着土層における吸着性能にムラが生じてしまい、汚染物質が仮置きヤードの内外に浸出、流出してしまう可能性があるという問題があった。
【０００７】
さらに、上記特許文献２に開示された第３工法を用いた場合、不織布等に吸着剤を担持させる必要がある。しかし、１枚の不織布等が担持できる吸着剤の量はあまり多くすることができないので、吸着物質を吸着させるのに十分な吸着能力を持った吸着シートの作製は困難である。また、土や岩などの盛土内の構成物や、盛土内への水の流れ込みが不均一に分布していた場合、汚染物質を含んだ水が吸着シートに均一に分散して流下せず、ある箇所に集中してしまうことがある。この場合、吸着シートでは汚染物質を十分捕捉して除去することができず、汚染物質が仮置きヤードの内外に浸出、流出してしまう可能性があるという問題があった。
【０００８】
そこで、本発明の課題は、大きな手間やコストを要することなく、掘削ずりなどの掘り起こし残土からの汚染物質の流出を好適に防止することができる掘り起こし残土の仮置き方法を提供することにある。
【課題を解決するための手段】
【０００９】
上記課題を解決した本発明に係る掘り起こし残土の仮置き方法は、汚染物質を含有する掘り起こし残土を仮置きするにあたり、掘り起こし残土に含まれると想定される汚染物質を捕捉する汚染物質捕捉層と、掘り起こし残土に含まれる水分を均一に分散させる流路分散層と、を含む汚染物質捕捉流路分散層を仮置きヤードに形成し、汚染物質捕捉流路分散層の上に、掘り起こし残土を仮置き盛土として仮置きすることを特徴とする。
【００１０】
本発明に係る掘り起こし残土の仮置き方法においては、掘り起こし残土に含まれると想定される汚染物質を捕捉する汚染物質捕捉層を形成している。このため、掘り起こし残土から流出する水分に含まれる汚染物質を汚染物質捕捉層で吸着して不溶化することができるので、仮置きヤードの内外に対する汚染物質の浸出、流出を防止することができる。また、仮置きされた掘り起こし残土から流れ出す汚染物質を含む水分は、局所的に集中してムラが生じることがあるため、汚染物質捕捉層に流出する水分にムラが生じることが考えられる。この点、本発明に係る掘り起こし残土の仮置き方法では、掘り起こし残土に含まれる水分を均一に分散させる流路分散層を形成している。このため、仮置きされた掘り起こし残土から流出する水分を汚染物質捕捉層に対して均等に分散させることができる。したがって、汚染物質捕捉層における汚染物質の捕捉効率を高めることができる。しかも、遮水構造や集水構造を設ける必要もないので、大きな手間やコストを要することなく、掘削ずりなどの掘り起こし残土からの汚染物質の流出を好適に防止することができる。
【００１１】
ここで、汚染物質捕捉層は、掘り起こし残土に含まれると想定される汚染物質を捕捉する汚染物質吸着シートによって構成されており、汚染物質吸着シートを仮置きヤードに敷設し、汚染物質吸着シートの上層に流路分散層を形成して汚染物質捕捉流路分散層を形成する態様とすることができる。
【００１２】
このように、汚染物質吸着シートの上層に流路分散層を形成して汚染物質捕捉流路分散層を形成することにより、汚染物質を含む水分を均等に汚染物質吸着シートに対して流出させることができる。その結果、汚染物質吸着シートにおける汚染物質の捕捉効率を高めることができる。
【００１３】
また、掘り起こし残土に含まれる汚染物質が複数ある場合に、複数の汚染物質をそれぞれ捕捉する複数の汚染物質吸着シートを仮置きヤードに敷設する態様とすることができる。
【００１４】
このように、複数の汚染物質をそれぞれ捕捉する複数の汚染物質吸着シートを仮置きヤードに敷設することにより、複数の汚染物質について、それぞれ好適に捕捉して除去することができる。
【００１５】
さらに、仮置きヤードに緩衝層を形成し、緩衝層の上方に汚染物質捕捉流路分散層を形成する態様とすることができる。
【００１６】
このように、緩衝層の上方に汚染物質捕捉流路分散層を形成することにより、仮置きヤードと汚染物質捕捉流路分散層との間に緩衝層が形成されることとなる。このため、仮置きヤードとの接触摩擦等による汚染物質吸着シートの損傷を防止することができる。
【００１７】
また、汚染物質捕捉層は、汚染物質を捕捉する汚染物質捕捉材料によって構成されており、流路分散層を形成する流路分散層形成材料に汚染物質捕捉材料を含有させて汚染物質捕捉流路分散層を形成する態様とすることができる。
【００１８】
このように、流路分散層を形成する流路分散層形成材料に汚染物質を捕捉する汚染物質捕捉材料を含有させることにより、汚染物質捕捉流路分散層を単層として形成することもできる。
【００１９】
また、汚染物質捕捉層は、掘り起こし残土に含まれると想定される汚染物質を捕捉する汚染物質吸着マットであり、汚染物質吸着マットは、土壌を挟み込む挟み込みシートを備え、挟み込みシートによって吸着剤が混ぜ合わされた土壌を挟み込んでおり、汚染物質吸着マットを仮置きヤードに敷設し、汚染物質吸着マットの上層に流路分散層を形成して汚染物質捕捉流路分散層を形成する態様とすることもできる。
【００２０】
このように、挟み込みシートによって吸着剤が混ぜ合わされた土壌を挟み込んでおり、掘り起こし残土に含まれると想定される汚染物質を捕捉する汚染物質吸着マットを用いることによっても、汚染物質捕捉流路分散層を形成することができる。
【００２１】
さらに、仮置き盛土を防雨シートで覆う態様とすることができる。このように、仮置き盛土を防雨シートで覆うことにより、降雨による仮置き盛土からの汚染物質の流出を防止することができる。
【００２２】
そして、仮置きヤードに仮置きされた仮置き残土および仮置きヤードと仮置き盛土との間における各層を縮小した仮置き盛土模擬土層を形成し、仮置き盛土模擬土層から流出した水分を分析して、水分に含まれる汚染物質の含有量を確認し、確認された汚染物質の含有量に基づいて、仮置き盛土の調整を行う態様とすることができる。
【００２３】
このように、仮置きヤードと仮置き盛土との間における各層を縮小した仮置き盛土模擬土層を形成し、仮置き盛土模擬土層から流出した水分を分析して、水分に含まれる汚染物質の含有量を分析して確認することにより、仮置き盛土から流出する水分に含まれる汚染物質の含有量を把握することができる。このため、汚染物質の流出量などを調整するための仮置き盛土の盛り付け量などの調整を図ることができる。
【発明の効果】
【００２４】
本発明に係る掘り起こし残土の仮置き方法によれば、大きな手間やコストを要することなく、掘削ずりなどの掘り起こし残土からの汚染物質の流出を好適に防止することができる。
【図面の簡単な説明】
【００２５】
【図１】第１の実施形態に係る掘り起こし残土の仮置き方法による仮置き盛土の側断面図である。
【図２】汚染物質捕捉流路分散層の側断面図である。
【図３】第２の実施形態に係る汚染物質捕捉流路分散層の側断面図である。
【図４】第３の実施形態に係る汚染物質捕捉流路分散層の側断面図である。
【図５】第４の実施形態に係る汚染物質捕捉流路分散層の側断面図である。
【図６】第５の実施形態に係る汚染物質捕捉流路分散層の側断面図である。
【図７】第６の実施形態に係る汚染物質捕捉流路分散層の側断面図である。
【図８】第７の実施形態に係る汚染物質捕捉流路分散層の側断面図である。
【図９】（ａ）は、掘り起こし残土の仮置き方法による仮置き盛土の側断面図、（ｂ）は、仮置き盛土模擬土層の側断面図である。
【発明を実施するための形態】
【００２６】
以下、図面を参照して、本発明の好適な実施形態について説明する。なお、各実施形態において、同一の機能を有する部分については同一の符号を付し、重複する説明は省略することがある。
【００２７】
図１は、第１の実施形態に係る掘り起こし残土の仮置き方法による仮置き盛土の側断面図である。図１に示すように、本実施形態に係る掘り起こし残土の仮置き方法では、仮置きヤードＹの上に仮置き盛土Ｍが形成される。仮置きヤードＹは、トンネル、ダム、造成などの土木工事を行う現場における適宜の空き地に形成される。本実施形態における掘り起し残土は、トンネルの掘削によって発生した掘削ずりとなる。また、仮置きヤードＹと仮置き盛土Ｍとの間に汚染物質捕捉流路分散層１が形成される。
【００２８】
汚染物質捕捉流路分散層１は、図２にも示すように、汚染物質吸着層となる吸着層１１および掘削ずりに含まれる水分を均一に分散させる流路分散層１２を備えている。吸着層１１は、複数の吸着シートが積層されて構成されている。ただし、吸着層１１を構成する吸着シートは、２枚以上の複数枚であってもよいし、１枚であってもよい。ここで用いられる吸着シートの枚数は、事前の室内試験等によって検討しておくことが好適である。
【００２９】
吸着層１１を構成する吸着シートは、不織布などの基材シートの表面に汚染物質捕捉材料である吸着剤を載せた構造をなしている。吸着剤は、基材シートの表面全体に満遍なく載せられている。ここで用いられる吸着剤としては、仮置き盛土Ｍに含有されていると想定される汚染物質に対応し、対応する汚染物質を吸着して不溶化するものとされている。吸着シートは巻き取り可能とされており、仮置きヤードＹに敷設される前の段階では、巻き上げられた状態とされており、吸着シートを仮置きヤードＹに敷設する際には、吸着シートを巻き出しながら敷設する。
【００３０】
たとえば、仮置き盛土Ｍに含有されている汚染物質がフッ素、カドミウム、鉛、砒素である場合には、酸化マグネシウム系の薬剤が適用できる。また、汚染物質が上記のものに加えて、セレンである場合には、酸化鉄系や多孔質セラミック系の薬剤が適用できる。その他の汚染物質に適用可能な吸着剤および処理方法については、表１に示すとおりである。
【表１】
0005571500.tif 000002
【００３１】
吸着層１１の上層に形成された流路分散層１２は、硅砂、バーミキュライト、パーライトなどを堆積させて形成する。流路分散層１２の厚さは、たとえば２０〜３０ｃｍ程度とされている。流路分散層１２は、この程度の厚さの硅砂などで形成されることにより、仮置き盛土Ｍから流出する水分を透過させる際に、平面視して前面に略均一となるように分散させている。また流路分散層１２は、吸着層１１と仮置き盛土Ｍとの間に形成される緩衝層としても機能している。
【００３２】
仮置き盛土Ｍは、トンネルなどの土木工事によって生じた掘削ずりなどの土砂を盛り上げられて形成されている。掘削ずりには、土木工事を行う土壌に応じた自然由来または人工的な汚染物質が含有されることがある。仮置き盛土Ｍからは、流路分散層１２に対して水分が流出する。仮置き盛土Ｍからは、仮置き盛土Ｍに含有される汚染物質が水分とともに流出する。
【００３３】
さらに、仮置き盛土Ｍには、防雨シートＳが覆設されている。防雨シートＳは、防水性材料によって形成されたシートである。仮置きヤードＹが屋外に設定されている場合、仮置き盛土Ｍが防雨シートＳに覆われていることにより、仮置き盛土Ｍに対する雨水の流入が阻止される。
【００３４】
次に、本実施形態に係る掘削ずりの仮置き手順について、図１を参照して説明する。掘削ずりを仮置きする際には、まず、仮置きヤードＹを設定する領域を確保して、仮置きヤードＹを設定する、仮置きヤードＹを設定したら、次に、仮置きヤードＹに吸着シートを順次敷設し、吸着層１１を形成する。ここでは、仮置き盛土Ｍを形成する分の面積、たとえば５ｍ四方に吸着層１１を形成する。
【００３５】
吸着層１１を形成したら、流路分散層１２を生成する。流路分散層１２を生成する際には、吸着層１１の表面側に硅砂などを所定の厚さとなるまで載せる。こうして、所定の厚さとなる流路分散層１２を形成したら、トンネルの掘削に伴って発生する掘削ずりを順次流路分散層１２の上に積み上げていく。そして、ある程度、たとえば２〜３ｍ程度の高さに到達したときに、仮置き盛土Ｍとする。その後、仮置き盛土Ｍの表面に防雨シートＳを覆設して、掘削ずりの仮置きが完了する。
【００３６】
こうして掘削ずりの仮置きが行われて仮置き盛土Ｍが形成されると、仮置き盛土Ｍは、汚染物質濃度を求めるための溶出試験の結果が出るまでのおよそ２週間程度の間、仮置きヤードＹに仮置きされることとなる。この間、仮置き盛土Ｍからは仮置きヤードＹに向けて水分が流下する。このまま流下した水分が仮置きヤードＹに到達すると、水分中に含まれる汚染物質が仮置きヤードＹの内外に浸出、流出することとなってしまう。
【００３７】
この点、本実施形態に係る掘削ずりの仮置きの際には、仮置きヤードＹと仮置き盛土Ｍとの間に、複数の吸着シートからなる吸着層１１を介在させている。このため、仮置き盛土Ｍから流下する水分を吸着層１１における吸着シートの吸着剤に吸着させて捕捉することができる。したがって、仮置きヤードＹの内外に対する汚染物質の浸出、流出を防止することができる。
【００３８】
また、仮置き盛土Ｍと吸着層１１との間に流路分散層１２が形成されている。このため、仮置き盛土Ｍから流下する水分は、流路分散層１２によって広く均等に分散される。したがって、吸着層１１における吸着シートの表面全体に満遍なく行き渡り、吸着シートに載せられた吸着剤によって効率よく汚染物質を吸着して捕捉することができる。しかも、遮水構造や集水構造を設ける必要もないので、大きな手間を要することなく、掘削ずりからの汚染物質の流出を好適に防止することができる。
【００３９】
さらに、本実施形態における流路分散層１２は、硅砂などを堆積させて形成されており、流路分散作用を備えるとともに緩衝作用も備えている。このため、仮置き盛土Ｍを形成する際に、掘削ずりに岩石の尖頭部などがある場合でも、吸着層１１における吸着シートの損傷を防止することができる。
【００４０】
次に、本発明の第２の実施形態について説明する。本実施形態に係る掘り起こし残土の仮置き方法は、上記第１の実施形態と比較して、汚染物質捕捉流路分散層の構造が主に相違する。以下、この相違点を中心に本実施形態について説明する。なお、以後の第３の実施形態〜第５の実施形態についても、汚染物質捕捉流路分散層の構造が主に相違する。図３は、第２の実施形態に係る汚染物質捕捉流路分散層の側断面図である。
【００４１】
図３に示すように、本実施形態に係る汚染物質捕捉流路分散層２は、上記第１の実施形態と同様の吸着層２１および流路分散層２２を備えている。さらに、汚染物質捕捉流路分散層２は、緩衝層２３を備える点において、上記第１の実施形態と主に異なっている。緩衝層２３は、たとえば不織布などの緩衝性が高い素材を含むシートあるいは硅砂などによって構成されている。掘削ずりの仮置きの手順では、緩衝層２３は、吸着層２１を形成する前に仮置きヤードＹに敷設し、敷設した緩衝層２３の上層に吸着層２１を形成する。その他の点は、上記第１の実施形態と同様である。
【００４２】
以上の構成を有する本実施形態においては、上記第１の実施形態と同様、仮置き盛土Ｍから流下する水分に含まれる汚染物質を吸着層２１によって好適に吸着し捕捉して除去することができる。また、吸着層２１の上層として流路分散層２２が形成されていることから、吸着層２１における吸着シートの表面全体に満遍なく載せられた吸着剤によって効率よく汚染物質を吸着して除去することができる。
【００４３】
さらに、本実施形態では、吸着層２１と仮置きヤードＹとの間に緩衝層２３が形成されている。このような緩衝層２３が形成されていることにより、吸着層２１と仮置きヤードＹとが直接的に接触しないようにされている。したがって、仮置きヤードＹの底面凹凸等がある場合などに、仮置きヤードＹとの接触摩擦による吸着シートの破損等を防止することができる。
【００４４】
続いて、本発明の第３の実施形態について説明する。図４は、第３の実施形態に係る汚染物質捕捉流路分散層の側断面図である。図４に示すように、本実施形態に係る汚染物質捕捉流路分散層３は、上記第２の実施形態と同様の吸着層３１、流路分散層３２、および緩衝層３３を備えている。さらに、本実施形態に係る汚染物質捕捉流路分散層３は、保水層３４を備える点において、上記第２の実施形態と主に異なっている。保水層３４は、たとえば不織布などの保水性が高い素材を含むシートによって構成されている。本実施形態に係る掘削ずりの仮置きの手順では、保水層３４は、吸着層３１を形成した後、流路分散層３２を形成する前に吸着層３１の上層に形成し、その上層に流路分散層３２を形成する。その他の点は、上記第２の実施形態と同様である。
【００４５】
以上の構成を有する本実施形態では、上記第１の実施形態および第２の実施形態と同様の作用効果を奏する。さらに、本実施形態では、吸着層３１と流路分散層３２との間に保水層３４が形成されている。この保水層３４が形成されていることにより、仮置き盛土Ｍから流下する水分を保水している。
【００４６】
このため、吸着層３１に到達する水分を減らしたり遅らせたりすることができるので、吸着層３１における吸着シートの性能をより有効に発揮させることができる。また、保水層３４内において保水された水分が水平方向に流動するので、水分をさらに満遍なく吸着層３１の全面に広げることができる。さらには、保水層３４を不織布で形成することにより、緩衝層としての効果を得ることもできる。
【００４７】
次に、本発明の第４の実施形態について説明する。図５は、第４の実施形態に係る汚染物質捕捉流路分散層の側断面図である。図５に示すように、本実施形態に係る汚染物質捕捉流路分散層４は、上記第３の実施形態と同様、第１吸着層４１、流路分散層４２、緩衝層４３、および保水層４４を備えている。
【００４８】
さらに、本実施形態に係る汚染物質捕捉流路分散層４は、第２吸着層４５を備える点において、上記第２の実施形態と主に異なっている。第２吸着層４５は、保水層４４と流路分散層４２との間に形成されている。第２吸着層４５は、第１吸着層４１と同様に、複数の吸着シートが積層されて形成されている。ただし、第２吸着層４５を構成する吸着シートは、２枚以上の複数枚であってもよいし、１枚であってもよい。
【００４９】
また、第２吸着層４５における吸着シートに載せられている吸着剤は、第１吸着層４１における吸着シートに載せられている吸着剤とは、異なる汚染物質を捕捉する吸着剤とすることも可能である。掘削ずりの仮置きの手順では、第２吸着層４５は、保水層４４を形成した後に保水層４４の上層に形成し、第２吸着層４５の上層に流路分散層４２を形成する。その他の点は、上記第３の実施形態と同様である。
【００５０】
以上の構成を有する本実施形態においては、上記第３の実施形態と同様の作用効果を奏する。また、本実施形態においては、第１吸着層４１と第２吸着層４５とが形成されており、それぞれ異なる汚染物質を吸着する吸着剤が基材シートに載せられたものを使用することも可能である。このため、複数種類の汚染物質を吸着することができ、仮置きヤードＹの内外への浸出、流出を防止することができる。
【００５１】
次に、本発明の第５の実施形態について説明する。図６は、第５の実施形態に係る汚染物質捕捉流路分散層の側断面図である。図６に示すように、本実施形態に係る汚染物質捕捉流路分散層５は、上記第４の実施形態と同様、第１吸着層５１、流路分散層５２、緩衝層５３、保水層５４、および第２吸着層５５を備えているが、その積層順が異なっている。
【００５２】
本実施形態では、第１吸着層５１と第２吸着層５５とは、いずれも流路分散層５２および保水層５４の下層として形成されている。このため、第１吸着層５１および第２吸着層５５に対して、いずれも満遍なく全面に広げることができる。したがって、第１吸着層５１および第２吸着層５５に高い吸着性能を発揮させることができ、複数種類の汚染物質の仮置きヤードＹの内外への浸出、流出を防止することもできる。
【００５３】
続いて、本発明の第６の実施形態について説明する。図７は、第６の実施形態に係る汚染物質捕捉流路分散層の側断面図である。図７に示すように、本実施形態に係る汚染物質捕捉流路分散層６は、汚染物質吸着流路分散部材６１によって構成されている。汚染物質吸着流路分散部材６１は、水分を均一に分散させる流路分散層形成材料、たとえば硅砂などを含み、緩衝性の高い基材であるため緩衝性も備えており、この緩衝性基材に吸着剤を含有させることによって形成されている。
【００５４】
また、緩衝性基材には、浸入してきた水分を均一に分散させる流路分散作用も備えている。このように、汚染物質吸着流路分散部材６１は、吸着層、流路分散層、および緩衝層として機能している。本実施形態に係る掘削ずりの仮置き手順としては、まず、仮置きヤードＹの上方に汚染物質吸着流路分散部材６１を載置して汚染物質捕捉流路分散層６を形成する。この汚染物質捕捉流路分散層６の上方に掘削ずりを積み上げていき、仮置き盛土Ｍを形成する。
【００５５】
以上の構成を有する本実施形態においては、上記各実施形態に示された作用効果と同様の作用効果を奏する。吸着剤における汚染物質の吸着を行う際、汚染物質吸着流路分散部材６１における流路分散作用によって水分を汚染物質捕捉流路分散層６の全面にわたって広くいきわたらせることができる。このため、吸着剤によって効率よく汚染物質を吸着して不溶化することができる。
【００５６】
さらに、本実施形態では、汚染物質吸着流路分散部材６１を仮置きヤードＹに載置するのみで汚染物質捕捉流路分散層６を形成することができる。このため、汚染物質捕捉流路分散層６を非常に簡易に形成することができる。
【００５７】
次に、本発明の第７の実施形態について説明する。図８は、第７の実施形態に係る汚染物質捕捉流路分散層の側断面図である。図８に示すように、本実施形態に係る汚染物質捕捉流路分散層７は、吸着マット７１および流路分散層７２を備えている。その他の点は、上記第１の実施形態と同様である。
【００５８】
吸着マット７１は、吸着剤が混ぜ合わされた土壌材を備え、この土壌材の上下に不織布等が配置されており、不織布等の挟み込みシートによって土壌材が挟み込まれた構成をなしている。流路分散層７２は、上記実施形態と同様、仮置き盛土Ｍから流出する水分を透過させる際に、平面視して前面に略均一となるように分散させる機能を有している。さらに、流路分散層７２は、吸着マット７１と仮置き盛土Ｍとの間に形成される緩衝層としても機能している。
【００５９】
本実施形態では、第１の実施形態と比較して、吸着層１１が形成されている代わりに吸着マット７１が設けられている構成となっている。このように、吸着マット７１が設けられた構成である場合でも、上記第１の実施形態と同様、仮置き盛土Ｍから流下する水分を、流路分散層７２によって広く均等に分散させることができる。したがって、吸着マット７１全体に満遍なく行き渡り、吸着マット７１に含まれる吸着剤によって効率よく汚染物質を吸着して不溶化することができる。
【００６０】
さらに、本実施形態における流路分散層７２は、上記第１の実施形態における流路分散層１２と同様、流路分散作用を備えるとともに緩衝作用も備えている。このため、仮置き盛土Ｍを形成する際に、掘削ずりに岩石の尖頭部などがある場合でも、吸着マット７１の損傷を防止することができる。
【００６１】
次に、本発明の第８の実施形態について説明する。図９（ａ）は、本実施形態に係る掘り起こし残土の仮置き方法による仮置き盛土の側断面図、（ｂ）は、仮置き盛土模擬土層の側断面図である。図９（ａ）に示すように、本実施形態では、上記第１の実施形態と同様の汚染物質捕捉流路分散層１が仮置きヤードＹに形成されており、汚染物質捕捉流路分散層１の上方に仮置き盛土Ｍが形成されている。
【００６２】
また、本実施形態では、仮置き盛土Ｍの側方位置に、図９（ｂ）に示す仮置き盛土模擬土層が形成されている。仮置き盛土模擬土層は、テーブルＴの上に形成されている。仮置き盛土模擬土層は、模擬汚染物質捕捉流路分散層１ｉを備えている。模擬汚染物質捕捉流路分散層１ｉは、汚染物質捕捉流路分散層１を模したものであり、模擬吸着層１１ｉおよび模擬流路分散層１２ｉを備えている。模擬吸着層１１ｉは、仮置きヤードＹに吸着層１１を形成する際に、テーブルＴ上に形成する。また、模擬流路分散層１２ｉは、流路分散層１２を形成する際にテーブルＴ上に載置する。
【００６３】
模擬汚染物質捕捉流路分散層１ｉの上方に模擬仮置き盛土Ｍｉが形成される。模擬仮置き盛土Ｍｉは、汚染物質捕捉流路分散層１上に仮置き盛土Ｍを形成する際にテーブルＴにおける模擬汚染物質捕捉流路分散層１ｉに形成される。また、模擬汚染物質捕捉流路分散層１ｉの下面側には、取水口Ｒが形成されており、テーブルＴ下における取水口Ｒの下方位置には、ビーカＢが設置されている。
【００６４】
模擬仮置き盛土Ｍｉから流下する水分は、模擬汚染物質捕捉流路分散層１ｉを透過して取水口Ｒから排出される。取水口Ｒから排出された水分は、ビーカＢに溜められる。さらに、一定の期間が経過した後、ビーカＢ内の水分を回収し、回収したビーカＢ内の水分に含まれる汚染物質の濃度を測定する。また、模擬汚染物質捕捉流路分散層１ｉおよび模擬仮置き盛土Ｍｉは、それぞれ汚染物質捕捉流路分散層１および仮置き盛土Ｍの各層の縮尺を考慮して縮小した縮小モデルであり、その高さ方向の比率を実質的に同一として形成されている。
【００６５】
本実施形態に係る仮置き方法においては、仮置き盛土Ｍを形成して掘削ずりを仮置きしている間、模擬仮置き盛土Ｍｉを形成し、模擬仮置き盛土Ｍｉから排出される水分をモニタリングし、汚染物質捕捉流路分散層１における汚染物質の捕捉性能を分析している。また、模擬仮置き盛土Ｍｉには、定期的に雨水を想定した散水を行い、実際の仮置き盛土Ｍよりも厳しい条件とする。模擬仮置き盛土Ｍｉが積み上げられている模擬汚染物質捕捉流路分散層１ｉは、汚染物質捕捉流路分散層１の高さ方向に比率を実質的に同一として形成されている。
【００６６】
このため、模擬汚染物質捕捉流路分散層１ｉから排出される水分における汚染物質の濃度は、汚染物質捕捉流路分散層１から流出する汚染物質の濃度の指標となりえると考えられる。したがって、模擬仮置き盛土Ｍｉから排出される水分をモニタリングして水分に含まれる汚染物質の含有量を確認することにより、汚染物質捕捉流路分散層１における汚染物質の吸着性能を分析して把握することができる。
【００６７】
模擬仮置き盛土Ｍｉから排出される水分をモニタリングする際、具体的には、ビーカＢに溜まった水分に含まれる汚染物質の濃度を測定して確認する。この測定結果に基づいて、仮置き盛土Ｍや汚染物質捕捉流路分散層１の調整を行う。ここで、汚染濃度が低く収まっている場合には、汚染物質捕捉流路分散層１における汚染物質の捕捉性能が満たされていることとなる。したがって、この場合には、汚染物質捕捉流路分散層１を模擬仮置き盛土Ｍｉと同じ比率で利用することにより、十分な汚染物質捕捉性能を発揮することができる。
【００６８】
逆に、汚染濃度が高い場合には、汚染物質捕捉流路分散層１における汚染物質の捕捉性能が不足していることとなる。この場合には、たとえば汚染物質捕捉流路分散層１の吸着層１１における吸着シートの量を増やしたり、仮置き盛土Ｍにおける掘削ずりの量を減らしたりするなどの対処を行うことができる。さらには、模擬仮置き盛土Ｍｉに対する模擬汚染物質捕捉流路分散層１ｉの性状と、ビーカＢに溜められた水分における汚染物質との関係を記録しておき、次回の土木工事を行う際にフィードバックさせることもできる。
【００６９】
さらに、仮置き盛土Ｍの仮置き期間が終了すると、模擬仮置き盛土Ｍｉは廃棄される。このとき、模擬汚染物質捕捉流路分散層１ｉにおける吸着シートの汚染濃度が低かった場合には、汚染物質捕捉流路分散層１の吸着層１１に用いた吸収シートの汚染濃度も低いと考えられる。この場合に、その吸着シートを再利用することもできる。
【００７０】
以上、本発明の好適な実施形態について説明したが、本発明は上記実施形態に限定されるものではない。たとえば、上記実施形態では、第１の実施形態について模擬仮置き盛土Ｍｉや模擬汚染物質捕捉流路分散層１ｉを形成するようにしているが、他の実施形態についても同様の模擬仮置き盛土Ｍｉおよび模擬汚染物質捕捉流路分散層１ｉを形成することもできる。
【００７１】
また、上記実施形態においては、第１の実施形態において、仮置き盛土Ｍを防雨シートＳで覆っているが、他の実施形態においても、仮置き盛土Ｍを防雨シートＳで覆う態様とすることもできる。さらに、上記各実施形態において、吸着層１１に複数の吸着シートを配置する場合、吸着させる汚染物質として同一種類の汚染物質とすることもできるし、異なる種類の汚染物質とする態様とすることもできる。
【符号の説明】
【００７２】
１，２，３，４，５，６，７…汚染物質捕捉流路分散層
１ｉ…模擬汚染物質捕捉流路分散層
１１，２１，３１，４１，５１…吸着層
１１ｉ…模擬吸着層
１２，２２，３２，４２，５２，７２…流路分散層
１２ｉ…模擬流路分散層
２３，３３，４３，５３…緩衝層
３４，４４，５４…保水層
６１…汚染物質吸着流路分散部材
７１…吸着マット
Ｂ…ビーカ
Ｍ…仮置き盛土
Ｍｉ…模擬仮置き盛土
Ｒ…取水口
Ｓ…防雨シート
Ｔ…テーブル
Ｙ…仮置きヤード
【図１】
0005571500.tif 000003
【図２】
0005571500.tif 000004
【図３】
0005571500.tif 000005
【図４】
0005571500.tif 000006
【図５】
0005571500.tif 000007
【図６】
0005571500.tif 000008
【図７】
0005571500.tif 000009
【図８】
0005571500.tif 000010
【図９】
0005571500.tif 000011